(57)【要約】【課題】サーバ上のコンテンツデータに対する正当な視聴権を有するユーザが、端末装置を切り替える際の手間を減らすことができる端末装置および端末装置認証方法を提供すること。【解決手段】  コンテンツサーバ１に保存されているコンテンツの視聴権を管理する視聴権管理手段２０３と、コンテンツの認証情報を保存するコンテンツＩＤ保存手段２０１と、コンテンツをユーザに呈示する表示再生手段２０２と、端末装置Ｂ３との通信を行う狭域通信手段２０５とを備え、視聴権管理手段２０３は、狭域通信手段２０５を介して端末装置Ｂ３よりコンテンツの視聴権の貸出要求メッセージを受信したときに、コンテンツＩＤ保存手段２０１を参照し、当該コンテンツの視聴権があれば、端末装置Ｂ３にコンテンツ視聴権を貸し出す承諾メッセージを送信する。【選択図】図１
2013190892.tif 000002
【特許請求の範囲】
【請求項１】
サーバに保存されているコンテンツの視聴権を管理する視聴権管理手段と、
前記コンテンツの認証情報を保存するコンテンツ認証情報保存手段と、
前記コンテンツをユーザに呈示する再生手段と、
他の端末装置との通信を行う端末間通信手段とを備え、
前記視聴権管理手段は、
前記端末間通信手段を介して前記他の端末装置よりコンテンツの視聴権の貸出要求メッセージを受信したときに、前記コンテンツ認証情報保存手段を参照し、当該コンテンツの視聴権があれば、前記他の端末にコンテンツ視聴権を貸し出す承諾メッセージを送信することを特徴とする端末装置。
【請求項２】
前記視聴権管理手段は、
前記端末間通信手段を介して前記他の端末装置よりコンテンツの視聴権の貸出要求メッセージを受信したときに、自端末装置の再生手段が当該コンテンツを再生しているときは、当該コンテンツの再生を遮断してから、前記他の端末装置にコンテンツの視聴権を貸し出す承諾メッセージを送信することを特徴とする請求項１に記載の端末装置。
【請求項３】
サーバに保存されているコンテンツの視聴権を管理する視聴権管理手段と、
前記コンテンツの認証情報を保存するコンテンツ認証情報保存手段と、
前記コンテンツをユーザに呈示する再生手段と、
他の端末装置との通信を行う端末間通信手段とを備え、
前記視聴権管理手段は、
自端末装置にコンテンツ視聴権がない場合に、前記端末間通信手段を介して、他の端末装置に視聴権の貸出を要求する貸出要求メッセージを送信することを特徴とする端末装置。
【請求項４】
前記貸出要求メッセージには、前記貸出を要求するコンテンツを特定する情報と、
前記他の端末装置が同一コンテンツを視聴中であった場合に前記貸出の是非の判断材料となる情報とが含まれることを特徴とする請求項３に記載の端末装置。
【請求項５】
前記貸出の是非の判断材料となる情報にはハードウェア情報が含まれており、
前記他の端末装置は、同一コンテンツを視聴中であった場合に、自端末装置と他の端末装置のハードウェア情報を前記貸出の是非の判断材料とすることを特徴とする請求項４に記載の端末装置。
【請求項６】
自端末装置が保持しているコンテンツの視聴権を用いて当該コンテンツを再生する他の端末装置を認証する端末装置認証方法であって、
視聴権の貸出要求メッセージを他の端末装置から受信する貸出要求受信ステップと、
自端末装置が保持しているコンテンツの視聴権を前記他の端末装置に貸し出すか否かを判断する判断ステップと、
前記判断ステップの判断結果に基づいて、前記他の端末装置に前記コンテンツの視聴権を貸し出す承諾メッセージを送信する承諾送信ステップとを備えていることを特徴とする認証方法。
【請求項７】
前記判断ステップは、自端末装置と他の端末装置のハードウェア情報に基づいて、前記自端末装置が判断するものであることを特徴とする請求項６に記載の端末装置認証方法。
【請求項８】
他の端末装置が保持しているコンテンツの視聴権を用いて当該コンテンツを再生する自端末装置を認証する認証方法であって、
前記視聴権の貸出要求メッセージを他の端末装置に送信する貸出要求送信ステップと、
前記他の端末装置からコンテンツ視聴権を貸し出す承諾メッセージを受信する承諾受信ステップとを備えていることを特徴とする端末装置認証方法。
【請求項９】
前記貸出要求メッセージに自端末装置と他の端末装置のハードウェア情報が含まれていることを特徴とする請求項８に記載の端末装置認証方法。
【発明の詳細な説明】
【技術分野】
【０００１】
本発明は、端末装置がサーバ上のコンテンツデータを利用する端末装置および端末装置認証方法に関する。
【背景技術】
【０００２】
既に、Ｗｅｂサーバから、ネットワーク接続されている端末装置（例えば、スマートフォンを含む携帯電話、ナビゲーションなどの車載端末装置）へ音楽データを配信し、音楽を楽しむ音楽配信サービスが実施されている。更に、ユーザが所有する端末装置も用途に応じて複数になっているのが一般的になりつつあり、複数の端末装置でコンテンツを楽しむ形態も普及しつつある。
従来、音楽ＣＤに付与されている識別情報をサーバに登録することで、同一のユーザが所有する複数端末装置で、同一コンテンツの二重購入を回避する技術が提案されている（例えば、特許文献１参照）。 
【先行技術文献】
【特許文献】
【０００３】
【特許文献１】特許第４０１９７９６号公報
【発明の概要】
【発明が解決しようとする課題】
【０００４】
サーバに登録されているコンテンツデータには著作権があり、無制限なユーザからのアクセスを防ぐためにＩＤとパスワードなどの入力をユーザに要請するのが一般的である。
特許文献１においては、それぞれの端末ごとにＩＤとパスワードなどを入力する必要があり、ユーザにとって面倒である。例えば、ユーザが歩行中に携帯電話であるコンテンツを視聴していたが、自動車に乗り込んで、車内の車載端末で視聴しようとする場合、同じＩＤとパスワードを入力する必要がある。
本発明は従来の課題を解決するためになされたもので、サーバ上のコンテンツデータに対する正当な視聴権を有するユーザが、端末装置を切り替える際の手間を減らすことができる端末装置および端末装置認証方法を提供することを目的とする。
【課題を解決するための手段】
【０００５】
上記目的を達成するために本発明の第１の局面は、サーバに保存されているコンテンツの視聴権を管理する視聴権管理手段と、前記コンテンツの認証情報を保存するコンテンツ認証情報保存手段と、前記コンテンツをユーザに呈示する再生手段と、他の端末装置との通信を行う端末間通信手段とを備え、前記視聴権管理手段は、前記端末間通信手段を介して前記他の端末装置よりコンテンツの視聴権の貸出要求メッセージを受信したときに、前記コンテンツ認証情報保存手段を参照し、当該コンテンツの視聴権があれば、前記他の端末にコンテンツ視聴権を貸し出す承諾メッセージを送信するという構成を有する。
【発明の効果】
【０００６】
本発明の端末装置および端末装置認証方法によれば、ユーザがある端末装置Ａで購入（視聴権を取得）したコンテンツを、別の端末装置Ｂで視聴する場合に、端末装置Ａと端末装置Ｂが互いを認証し、コンテンツ視聴権の貸し借りを行うことで、端末装置ＢにおいてもＩＤ、パスワードの入力が不要になるので、端末装置を切り替える際の手間を減らすことができる。
【図面の簡単な説明】
【０００７】
【図１】本発明の実施の形態である端末装置Ａ・Ｂを備えたシステムの構成を示すブロック図
【図２】コンテンツサーバ内の認証情報管理手段が保存する認証情報の一例を示す図
【図３】端末装置ＡのコンテンツＩＤ保存手段に保存されるコンテンツＩＤデータの一例を示す図
【図４】端末ハード情報保存手段に保存されている端末ハード情報の一例を示す図
【図５】端末装置Ｂにおいてユーザからコンテンツ視聴のリクエストがあった場合の動作を示すフロー図
【図６】図５のステップＳ５０８で送信される貸出要求メッセージに含まれる情報の一例を示す図
【図７】図６の強制力の種類と判断方法に含まれる情報の一例を示す図
【図８】端末装置Ａにおいて他端末からコンテンツ視聴権の貸出要求メッセージがあった場合の動作を示すフロー図
【図９】端末装置Ｂにおいて他端末から視聴権の貸出要求に対する回答メッセージを受信した場合の動作を示すフロー図
【発明を実施するための形態】
【０００８】
以下、本発明の実施の形態に関わるシステムについて説明する。
本発明に係わる実施の形態のシステム構成について、図１のブロック図を用いて説明する。
【０００９】
図１において、本実施の形態の端末装置を備えてなるシステムは、コンテンツサーバ１と端末装置Ａ２、端末装置Ｂ３によって構成される。
コンテンツサーバ１は、音楽・動画・静止画・ゲーム・Ｗｅｂデータなどのコンテンツを管理しユーザに提供するためのサーバであり、コンテンツ管理手段１００と、コンテンツ認証手段１０２と、認証情報管理手段１０３と、広域通信手段１０１とからなる。
【００１０】
コンテンツサーバ１内のコンテンツ管理手段１００は、コンテンツを保持し管理する。
コンテンツサーバ１内のコンテンツ認証手段１０２は、広域通信手段１０１を介してユーザから入力されるログイン情報と、認証情報管理手段１０３に保存されている認証情報を照合して、ユーザが該当するコンテンツに対して視聴権があるかどうかを判定し、視聴権がある場合にのみコンテンツ管理手段１００内のコンテンツへのアクセスを許可する。
【００１１】
コンテンツサーバ１内の認証情報管理手段１０３は、コンテンツとユーザに対して認証に必要な情報を保存する。詳細な保存方法については後述する。
コンテンツサーバ１内の広域通信手段１０１は、ＬＡＮ、ＷＡＮなどの接続手段であり、コンテンツサーバ１は広域通信手段１０１を介してインターネットに接続する。
【００１２】
端末装置Ａ２は、例えば携帯電話やスマートフォン、タブレット、携帯ゲーム機に代表される携帯端末であり、広域通信手段２００と、コンテンツ情報認証手段としてのコンテンツＩＤ保存手段２０１と、表示再生手段２０２と、視聴権管理手段２０３と、端末ハード情報保存手段２０４と、狭域通信手段２０５と、端末間認証手段２０６とからなる。
【００１３】
端末装置Ａ２の広域通信手段２００は、３Ｇ回線やＷｉＭａｘ、Ｗｉ−Ｆｉなどの接続手段であり、端末装置Ａ２は広域通信手段２００を介してインターネットに接続する。
端末装置Ａ２のコンテンツＩＤ保存手段２０１は、過去に視聴したコンテンツサーバ１上のコンテンツのＵＲＬと、視聴の際に使用したＩＤやパスワードなどの認証情報すなわちコンテンツの認証情報を保存する。詳細な保存方法については後述する。
端末装置Ａ２の表示再生手段２０２は、ディスプレイやスピーカーであり、コンテンツサーバ１からダウンロードした動画や音声、静止画、ゲームなどのコンテンツを表示したり、音声を出力したりする。
【００１４】
端末装置Ａ２の視聴権管理手段２０３は、コンテンツサーバ１上のコンテンツに対する視聴権の「貸し借り」に関する管理を行う。視聴権管理手段２０３の具体的な制御方法については後述する。
端末装置Ａ２の端末ハード情報保存手段２０４は、端末装置Ａ２の表示再生手段２０２に関するハードウェア上の制約やパラメータを保存する。詳細な保存方法については後述する。
【００１５】
端末装置Ａ２の狭域通信手段２０５は、Ｗｉ−Ｆｉ、Ｂｌｕｅｔｏｏｔｈ（登録商標）などの接続手段であり、端末装置Ａ２は狭域通信手段２０５を介して他の端末装置（ここでは、端末装置Ｂ３）と通信を行う。
端末装置Ａの端末間認証手段２０６は、狭域通信における互いの端末装置の認証手段であり、パスワードにより認証された端末装置のみのアクセスを許可する。Ｗｉ−Ｆｉ、Ｂｌｕｅｔｏｏｔｈ（登録商標）などで定められた既存の認証手段を用いればよい。
【００１６】
端末装置Ｂ３は、例えばナビゲーションシステムやディスプレイ付きカーオーディオ、ＰＮＤ（Portable Navigation Device, Personal Navigation Device）に代表される車載端末であり、広域通信手段３００、コンテンツＩＤ保存手段３０１、表示再生手段３０２、視聴権管理手段３０３、端末ハード情報保存手段３０４、狭域通信手段３０５、端末間認証手段３０６とからなる。
端末装置Ｂ３を構成する各手段の詳細については端末装置Ａ２と同様であるので説明を省略する。
【００１７】
次に、図１のコンテンツサーバ１内の認証情報管理手段１０３が保存する認証情報の一例について、図２を用いて説明する。
図２において、コンテンツＩＤには視聴の対象となるコンテンツのＩＤまたはＵＲＬが記載されている。ユーザＩＤにはログインするユーザのＩＤ、パスワードはユーザが設定したパスワードである。
【００１８】
次に、端末装置Ａ２のコンテンツＩＤ保存手段２０１に保存されているコンテンツＩＤデータの一例について、図３を用いて説明する。
図３において、コンテンツには視聴の対象となるコンテンツのＩＤまたはＵＲＬが記載されている。ユーザＩＤには自端末装置Ａ２で過去にログインしたユーザのＩＤ、パスワードにはその際ユーザが入力したパスワードが保存されている。管理状態は、コンテンツが「自端末で視聴中」であるか、「未使用」であるか「他端末に貸出中」であるかを表すフラグである。
【００１９】
次に、端末装置Ａ２の端末ハード情報保存手段２０４に保存されている端末ハード情報について、図４を用いて説明する。
各端末装置によって、コンテンツを視聴するためのハードウェア仕様は異なる。このハードウェア仕様に対応した端末ハード情報として、画面の解像度、動画のエンコードサポート形式、音声のエンコードサポート形式、などが端末ハード情報保存手段２０４に保存されている。
【００２０】
次に、端末装置Ａ２および端末装置Ｂ３の視聴権管理手段２０３、３０３の具体的な制御方法について説明する。
まず、端末装置Ｂ３においてユーザからコンテンツ視聴のリクエストがあった場合について、図５のフロー図を用いて説明する。なお、同図では、端末装置Ｂ３を自端末、端末装置Ａ２を他端末と記している。この点、図９において同じである。なお、図８では、端末装置Ａ２を自端末、端末装置Ｂ３他端末と記している。
【００２１】
端末装置Ｂ３の視聴権管理手段３０３は、ユーザからコンテンツ視聴のリクエストがあった場合に、まず、コンテンツＩＤ保存手段３０１を参照して、該当するコンテンツのユーザＩＤとパスワード（ＰＷ）が登録されているかを判定する（ステップＳ５０１）。
ステップＳ５０１の判定結果がＹｅｓの場合、次に、視聴権管理手段３０３は、該当コンテンツの視聴権が端末装置Ｂ３から他の端末装置に貸出中かどうかを判定する（ステップＳ５０２）。
【００２２】
ステップＳ５０２の判定結果がＹｅｓの場合、該当コンテンツは現在自端末装置（端末装置Ｂ３）では再生できないので、再生できない旨を表示再生手段３０２によりユーザに呈示する（ステップＳ５０３）。
ステップＳ５０２の判定結果がＮｏの場合、該当コンテンツは、現在自端末装置で再生する権利があるので、自端末装置である端末装置Ｂ３のユーザＩＤとパスワードでログインする（ステップＳ５０４）。次にコンテンツをコンテンツサーバ１からダウンロードし、表示再生手段３０２にデータを渡しながら再生、またはストリーミングしながら再生する（ステップＳ５０５）。
【００２３】
ステップＳ５０１の判定結果がＮｏの場合、次に、狭域通信手段３０５と端末間認証手段３０６を参照し、自端末装置と狭域通信で認証された他の端末装置があるかを判定する（ステップＳ５０６）。
ステップＳ５０６の判定結果がＮｏの場合、該当コンテンツは、現在自端末装置では視聴権がなく、周囲にも視聴権のある端末装置がある可能性もない。このため、端末装置Ｂ３はコンテンツにアクセスするためのユーザＩＤとパスワードを入力するようユーザに求める（ステップＳ５０７）。
【００２４】
ステップＳ５０６の判定結果がＹｅｓの場合、狭域通信で認証された他端末装置（この場合端末装置Ａ２）に、狭域通信を介してコンテンツ視聴権の貸出要求メッセージを送信する（ステップＳ５０８）。このステップＳ５０８は、端末装置Ｂ３にとって貸出要求送信ステップに該当し、端末装置Ａ２にとってコンテンツ視聴権の貸出要求を端末装置Ｂ３から受信する貸出要求受信ステップに該当する。このときの貸出要求メッセージに含まれる情報については後述する。その後、端末装置Ｂ３は端末装置Ａ２からの承諾メッセージの待ち受け状態に入る（ステップＳ５０９）。端末装置Ｂ３からコンテンツ視聴権を貸し出す承諾メッセージが送信されたときは、このステップＳ５０９において承諾メッセージを受信する（承諾受信ステップ）。
【００２５】
次に、図５のステップＳ５０８で送信される貸出要求メッセージに含まれる情報について、図６を用いて説明する。
貸出要求メッセージに含まれる情報として、コンテンツＩＤ、強制力の種類、判断方法、自端末装置のハードウェア情報がある。コンテンツＩＤは、たとえばコンテンツが格納してあるＵＲＬであり、視聴権を貸し出したいコンテンツを特定する文字列または数値などである。強制力の種類はどの程度の強制力をもって貸出を要求するかを表すデータであり、判断方法は、自動で視聴権貸出の承諾・拒否を決める際に用いる根拠となる判断方法を表すデータである。これらの詳細については後述する。自端末ハード情報は、自端末装置の端末ハード情報保存手段３０４に格納されている解像度、音声出力の形式などのハードウェア情報である。
【００２６】
次に、図６の強制力の種類と判断方法に含まれる情報について、図７を用いて説明する。
まず、強制力の種類は、端末装置Ｂ３からの貸出要求メッセージにより特定されたコンテンツが端末装置Ａ２において視聴中であった場合に、当該コンテンツに関する視聴権を貸し出すか否かの判断において、貸出の是非の判断材料となるものである。図７に示した例では、「強制力を持った視聴権貸出要求」、「自動選択」、「強制力の弱い視聴権貸出要求」の３段階がある。このうち「強制力を持った視聴権貸出要求」は、他の端末装置すなわち端末装置Ａ２が仮に該当コンテンツを視聴中であっても強制的に視聴権を貸し出すよう要求する事を表す。「自動選択」は、他の端末装置が仮に視聴中であった場合に、後述する判断方法に従って、自動的に視聴権貸出の承諾・拒否を決めることを表す。「強制力の弱い視聴権貸出要求」は、他の端末装置が視聴中であった場合は貸出を拒否してよいということを表す。
【００２７】
次に、強制力の種類が「自動選択」であった場合に端末装置Ａ２において用いられる判断方法としては、端末装置Ａ２および端末装置Ｂ３のハードウェア情報に基づいて判断する方法が挙げられる。例えば「画面の大きい方を選択」、「アスペクト比が適した方を選択」、「電源残量の大きい方を選択」、「音量が大きい方を選択」、「音量がプライベートな方を選択」などがある。
【００２８】
「画面の大きい方を選択」は、自端末装置である端末装置Ｂ３と他の端末装置である端末装置Ａ２の画面サイズを比較し、自端末装置の方が大きければ、視聴権を貸し出すように要求することを表す。
「アスペクト比が適した方を選択」は、自端末装置と他の端末装置の画面のアスペクト比を比較し、自端末装置の方が該当コンテンツのアスペクト比に近ければ、視聴権を貸し出すように要求することを表す。
「電源残量の大きい方を選択」は、自端末装置と他の端末装置の電源残量を比較し、自端末装置の方が電源残量が多ければ、視聴権を貸し出すように要求することを表す。
「音声出力がプライベートな方を選択」は、自端末装置と他の端末装置の画面の音声出力のデバイスを比較し、他の端末装置がスピーカー出力など多数に聞こえる出力方式で、自端末装置の方がイヤフォンなどプライベートに聞こえる出力方式であれば、視聴権を貸し出すように要求することを表す。
「音量出力が大出力な方を選択」は、自端末装置と他の端末装置の画面の音声出力の出力容量（ワット数）やスピーカー数を比較し、自端末装置の方が出力容量が大きければ、視聴権を貸し出すように要求することを表す。
強制力、判断方法に関する情報は、ユーザからのコンテンツ視聴リクエストの度にユーザに選択させてもよいし、予め端末装置Ｂ３に設定として記憶されるようにしておき、都度呼び出してもよい。後者の場合、ユーザが設定画面を呼び出し、強制力の種類と判断方法を選べるようにしておくようにしておけばよい。
【００２９】
次に、端末装置Ａ２において狭域通信で認証した他の端末装置からコンテンツ視聴権の貸出要求メッセージがあった場合について、図８のフロー図を用いて説明する。
端末装置Ａ２の視聴権管理手段２０３は、狭域通信で認証した他の端末装置（この場合端末装置Ｂ３）からコンテンツ視聴権の貸出要求メッセージがあった場合（図５のステップＳ５０８参照、貸出要求受信ステップ）、まず、自端末装置のコンテンツＩＤ保存手段２０１を参照して、該当するコンテンツのユーザＩＤとパスワードを自端末装置で保持しているかどうかを判定する（ステップＳ８０１）。
【００３０】
ステップＳ８０１の判定結果がＮｏの場合、端末装置Ｂ３に対して狭域通信手段２０５を介して貸出要求を拒否する回答メッセージを送信し（ステップＳ８０２）、終了する。
ステップＳ８０１の判定結果がＹｅｓの場合、端末装置Ａ２は表示再生手段２０２に問い合わせて、自端末装置で現在該当コンテンツを再生中かどうかについて判定する（ステップＳ８０３）。
ステップＳ８０３の判定結果がＹｅｓの場合、視聴権を貸し出してよいか、判定する（ステップＳ８０４、判断ステップ）。ここで、貸出要求メッセージに含まれる情報を参照する。
【００３１】
強制力の種類が「強制力を持った視聴権貸出要求」の場合は、自端末装置で該当コンテンツを再生中であるが、無条件に貸し出してよいと判定し、強制力の種類が「強制力の弱い視聴権貸出要求」の場合は、自端末装置で該当コンテンツを再生中であるが、無条件に貸し出さないと判定する。
強制力の種類が「自動選択」の場合は、更に「判断材料」と他の端末装置のハード情報を参照し、自端末装置の端末ハード情報格納手段２０４に格納されている情報とを比較して、貸出を承諾するか拒否するかを判断する。たとえば、「判断材料」が「電源残量の大きい方」であって、他の端末装置の「電源残量」の値が無限大、自端末装置の「電源残量」の値が３０００ｍＡｈであれば、他の端末装置の電源残量の方が大きいので、視聴権貸出を許可する。
【００３２】
ステップＳ８０４の判定結果がＹｅｓの場合、表示再生手段２０２が行っている該当コンテンツの視聴を中止し該当コンテンツからログオフする（ステップＳ８０５）。次に端末装置Ｂ３に対して狭域通信手段２０５を介して貸出要求を承諾する回答メッセージを送信し（ステップＳ８０７）、終了する。このように、端末装置Ａ２は、表示再生手段２０２が端末装置Ｂ３から受信した貸出要求メッセージに係るコンテンツを再生しているときは、当該コンテンツの再生を遮断してから、端末装置Ｂ３に当該コンテンツの視聴権を貸し出す。
ステップＳ８０４の判定結果がＮｏの場合、端末装置Ｂ３に対して狭域通信手段２０５を介して貸出要求を拒否する回答メッセージを送信し（ステップＳ８０２）、終了する。
【００３３】
ステップＳ８０３に戻り、ステップＳ８０３の判定結果がＮｏの場合、コンテンツＩＤ保存手段２０１を参照して、自端末装置で該当コンテンツの視聴権が貸出中かどうかを判定する（ステップＳ８０６）。
ステップＳ８０６の判定結果がＹｅｓの場合、該当コンテンツは他の端末装置に貸出中であり視聴する権限がないことから、端末装置Ｂ３に対して狭域通信手段２０５を介して貸出要求を拒否する回答メッセージを送信し（ステップＳ８０２）、終了する。
ステップＳ８０６の判定結果がＮｏの場合、端末装置Ｂ３に対して狭域通信手段２０５を介して貸出要求を承諾する回答メッセージを送信し（ステップＳ８０７）、終了する。
【００３４】
次に、端末装置Ｂ３において他の端末装置から視聴権の貸出要求に対する回答メッセージを受信した場合について、図９を用いて説明する。
端末装置Ｂ３の視聴権管理手段３０３は、端末装置Ａ２から視聴権の貸出要求に対する回答メッセージを受信した場合、視聴権の貸出要求が承諾されたかを判定する（ステップＳ９０１、承諾受信ステップ）。
ステップＳ９０１の判定結果がＹｅｓの場合、すなわち端末装置Ａ２から受信した回答メッセージが承諾メッセージであった場合、端末装置Ｂ３は借り出したユーザＩＤとパスワードでコンテンツサーバ１にログインを試みる（ステップＳ９０２）。次にコンテンツをコンテンツサーバ１からダウンロードし、表示再生手段３０２にデータを渡しながら再生、またはストリーミングしながら再生する（ステップＳ９０３）。
【００３５】
ステップＳ９０１の判定結果がＮｏの場合、該当コンテンツは、現在自端末装置では視聴権がなく、周囲にも視聴権を貸出てくれる他の端末装置がないため、コンテンツにアクセスするためのユーザＩＤとパスワードを入力するようユーザに求める（ステップＳ９０４）。
【００３６】
なお、本実施の形態では、端末装置Ａ２を携帯電話などの携帯端末、端末装置Ｂ３を車載端末として記したが、本発明の範囲はそれにとどまらない。車載端末から携帯端末への視聴権の貸出、また携帯端末同士、車載端末同士での貸出も可能である。
【００３７】
以上のように、本実施の形態の端末装置Ａ２、Ｂ３は、ユーザがある端末装置Ａ２で購入（視聴権を取得）したコンテンツを、別の端末装置Ｂ３で視聴する場合に、端末装置Ａ２、Ｂ３が互いを認証し、視聴するための端末装置を切り替える際のユーザの手間を減らすことができるという効果を有する。
【産業上の利用可能性】
【００３８】
本発明は、購入（視聴権を取得）したコンテンツを、携帯電話、スマートフォン、車載端末、パーソナルコンピュータなどの複数の端末装置を用いて視聴するために有用である。
【符号の説明】
【００３９】
１  コンテンツサーバ
２  端末装置Ａ
３  端末装置Ｂ
１００  コンテンツ管理手段
１０１、２００、３００  広域通信手段
１０２  コンテンツ認証手段
１０３  認証情報管理手段
２０１、３０１  コンテンツＩＤ保存手段（コンテンツ認証情報保存手段）
２０２、３０２  表示再生手段
２０３、３０３  権利管理手段
２０４、３０４  端末ハード情報保存手段
２０５、３０５  狭域通信手段
２０６、３０６  端末間認証手段
【図１】
2013190892.tif 000003
【図２】
2013190892.tif 000004
【図３】
2013190892.tif 000005
【図４】
2013190892.tif 000006
【図５】
2013190892.tif 000007
【図６】
2013190892.tif 000008
【図７】
2013190892.tif 000009
【図８】
2013190892.tif 000010
【図９】
2013190892.tif 000011